(57)【要約】【課題】液晶表示装置等の表示装置において、必要なバッファの数を削減し、コストの削減、回路面積の低減、消費電流の低下を実現する。【解決手段】ソースドライバ３００内にソースドライバ３００外部と表示部５００とを接続するソースドライバ内バイパス信号線３１を備える。さらに、表示部５００内に表示部内バイパス信号線５２を備え、ソースドライバ内バイパス信号線３１と予備信号線出力バッファ３２の入力端子とを接続する。ここで、ソースドライバ内バイパス信号線３１に基準電圧生成回路６００で生成された基準電圧を与えると、その基準電圧は予備信号線出力バッファ３２によって増幅される。このように、予備信号線５１によって伝送される映像信号の増幅に供されていない予備信号線出力バッファ３２について、映像信号の増幅以外の用途に適用する。【選択図】図１
2006195119.tif 000002
【特許請求の範囲】
【請求項１】
表示すべき画像を表わす映像信号を伝達する映像信号線と、前記映像信号線と交差する走査信号線と、前記映像信号線の予備の信号線であって前記映像信号線の一端近傍および他端近傍において前記映像信号線と交差して形成された予備信号線とを備える表示部に、前記映像信号を供給する映像信号線駆動回路であって、
入力端子と出力端子とを有し前記入力端子から入力された信号を増幅して前記出力端子から出力する、前記予備信号線のための出力バッファである予備信号線出力バッファと、
前記映像信号線駆動回路の一側において前記表示部と接するように配置され、複数の端子を有する表示部側入出力部と、
前記映像信号線駆動回路の他側に配置され、複数の端子を有する外部側入出力部と、
前記表示部側入出力部と前記外部側入出力部とを接続する信号線である映像信号線駆動回路内バイパス信号線とを備え、
前記表示部側入出力部は、
前記映像信号を前記映像信号線に出力するための映像信号線用出力端子と、
前記予備信号線出力バッファの前記入力端子と接続された予備信号線出力バッファ用表示部側端子と、
前記映像信号線駆動回路内バイパス信号線の一端と接続された映像信号線駆動回路内バイパス信号線用表示部側端子とを含み、
前記外部側入出力部は、
前記映像信号を生成するための基準電圧を受け取るための基準電圧用入力端子と、
前記予備信号線出力バッファの前記出力端子と接続された予備信号線出力バッファ用外部側端子と、
前記映像信号線駆動回路内バイパス信号線の一端と接続された映像信号線駆動回路内バイパス信号線用外部側端子とを含んでいることを特徴とする、映像信号線駆動回路。
【請求項２】
請求項１に記載の映像信号線駆動回路を複数備えた表示装置であって、
前記表示部側入出力部に含まれる所定の端子間を接続する信号線である表示部内バイパス信号線を有し、
前記複数の映像信号線駆動回路は、
前記映像信号線の一端近傍において前記映像信号線と交差して形成された前記予備信号線と、前記予備信号線出力バッファ用表示部側端子とが接続され、前記映像信号線の他端近傍において前記映像信号線と交差して形成された前記予備信号線と、前記予備信号線出力バッファ用外部側端子とが接続された、第１の映像信号線駆動回路と、
前記予備信号線出力バッファ用表示部側端子と前記表示部内バイパス信号線の一端とが接続され、前記映像信号線駆動回路内バイパス信号線用表示部側端子と前記表示部内バイパス信号線の他端とが接続された、第２の映像信号線駆動回路とを含むことを特徴とする、表示装置。
【請求項３】
増幅後の複数の基準電圧に基づいて前記映像信号を生成する、請求項２に記載の表示装置であって、
前記第２の映像信号線駆動回路の前記バイパス信号線用外部側端子と増幅前の基準電圧を伝送する所定の配線とが接続され、
前記第２の映像信号線駆動回路の前記予備信号線出力バッファ用外部側端子と前記複数の映像信号線駆動回路の前記基準電圧用入力端子とが接続されることを特徴とする、表示装置。
【請求項４】
前記増幅前の基準電圧を生成する分圧回路を更に備え、
前記増幅前の基準電圧を伝送する所定の配線は、前記分圧回路と接続されていることを特徴とする、請求項３に記載の表示装置。
【請求項５】
表示すべき画像を表わす映像信号を伝達する映像信号線と、前記映像信号線と交差する走査信号線と、前記映像信号線の予備の信号線であって前記映像信号線の一端近傍および他端近傍において前記映像信号線と交差して形成された予備信号線とを備える表示部に、前記映像信号を供給する映像信号線駆動回路であって、
入力端子と出力端子とを有し前記入力端子から入力された信号を増幅して前記出力端子から出力する、前記予備信号線のための出力バッファである予備信号線出力バッファと、
前記映像信号線駆動回路の一側において前記表示部と接するように配置され、複数の端子を有する表示部側入出力部と、
前記映像信号線駆動回路の他側に配置され、複数の端子を有する外部側入出力部と、
前記表示部側入出力部と前記外部側入出力部とを接続する信号線である映像信号線駆動回路内バイパス信号線とを備え、
前記表示部側入出力部は、
前記映像信号を前記映像信号線に出力するための映像信号線用出力端子と、
前記映像信号線駆動回路内バイパス信号線の一端と接続された映像信号線駆動回路内バイパス信号線用表示部側端子とを含み、
前記外部側入出力部は、
前記映像信号を生成するための基準電圧を受け取るための基準電圧用入力端子と、
前記予備信号線出力バッファの前記入力端子と接続された予備信号線出力バッファ入力用端子と、
前記予備信号線出力バッファの前記出力端子と接続された予備信号線出力バッファ出力用端子と、
前記映像信号線駆動回路内バイパス信号線の一端と接続された映像信号線駆動回路内バイパス信号線用外部側端子とを含んでいることを特徴とする、映像信号線駆動回路。
【請求項６】
請求項５に記載の映像信号線駆動回路を複数備えた表示装置であって、
前記複数の映像信号線駆動回路は、
前記映像信号線の一端近傍において前記映像信号線と交差して形成された前記予備信号線と、前記映像信号線駆動回路内バイパス信号線用表示部側端子とが接続され、前記映像信号線駆動回路内バイパス信号線用外部側端子と前記予備信号線出力バッファ入力用端子とが接続され、前記映像信号線の他端近傍において前記映像信号線と交差して形成された前記予備信号線と、前記予備信号線出力バッファ出力用端子とが接続された、第１の映像信号線駆動回路を含むことを特徴とする、表示装置。
【請求項７】
増幅後の複数の基準電圧に基づいて前記映像信号を生成する、請求項６に記載の表示装置であって、
前記複数の映像信号線駆動回路は、
前記予備信号線出力バッファ入力用端子と増幅前の基準電圧を伝送する所定の配線とが接続され、前記予備信号線出力バッファ出力用端子と前記複数の映像信号線駆動回路の前記基準電圧用入力端子とが接続された、第２の映像信号線駆動回路を含むことを特徴とする、表示装置。
【請求項８】
前記増幅前の基準電圧を生成する分圧回路を更に備え、
前記増幅前の基準電圧を伝送する所定の配線は、前記分圧回路と接続されていることを特徴とする、請求項７に記載の表示装置。
【請求項９】
表示すべき画像を表わす映像信号を伝達する映像信号線と、前記映像信号線と交差する走査信号線と、前記映像信号線の予備の信号線であって前記映像信号線の一端近傍および他端近傍において前記映像信号線と交差して形成された予備信号線とを備える表示部に、前記映像信号を供給する映像信号線駆動回路であって、
入力端子と出力端子とを有し前記入力端子から入力された信号を増幅して前記出力端子から出力する、前記予備信号線のための出力バッファである予備信号線出力バッファと、
前記映像信号線駆動回路の一側において前記表示部と接するように配置され、複数の端子を有する表示部側入出力部と、
前記映像信号線駆動回路の他側に配置され、複数の端子を有する外部側入出力部とを備え、
前記表示部側入出力部は、
前記映像信号を前記映像信号線に出力するための映像信号線用出力端子と、
前記予備信号線出力バッファの前記入力端子と接続された予備信号線出力バッファ入力用表示部側端子と、
前記予備信号線出力バッファの前記出力端子と接続された予備信号線出力バッファ出力用表示部側端子とを含み、
前記外部側入出力部は、
前記映像信号を生成するための基準電圧を受け取るための基準電圧用入力端子と、
前記予備信号線出力バッファの前記入力端子と接続された予備信号線出力バッファ入力用外部側端子と、
前記予備信号線出力バッファの前記出力端子と接続された予備信号線出力バッファ出力用外部側端子とを含んでいることを特徴とする、映像信号線駆動回路。
【請求項１０】
請求項９に記載の映像信号線駆動回路を複数備えた表示装置であって、
前記複数の映像信号線駆動回路は、
前記映像信号線の一端近傍において前記映像信号線と交差して形成された前記予備信号線と、前記予備信号線出力バッファ入力用表示部側端子とが接続され、前記映像信号線の他端近傍において前記映像信号線と交差して形成された前記予備信号線と、前記予備信号線出力バッファ出力用外部側端子とが接続された、第１の映像信号線駆動回路を含むことを特徴とする、表示装置。
【請求項１１】
増幅後の複数の基準電圧に基づいて前記映像信号を生成する、請求項１０に記載の表示装置であって、
前記複数の映像信号線駆動回路は、
前記予備信号線出力バッファ入力用外部側端子と増幅前の基準電圧を伝送する所定の配線とが接続され、前記予備信号線出力バッファ出力用外部側端子と前記複数の映像信号線駆動回路の前記基準電圧用入力端子とが接続された、第２の映像信号線駆動回路を含むことを特徴とする、表示装置。
【請求項１２】
前記増幅前の基準電圧を生成する分圧回路を更に備え、
前記増幅前の基準電圧を伝送する所定の配線は、前記分圧回路と接続されていることを特徴とする、請求項１１に記載の表示装置。
【請求項１３】
所定の回路によって生成された共通電極電圧を増幅して前記表示部内の共通電極に与える、請求項１０から１２のいずれか１項に記載の表示装置であって、
前記複数の映像信号線駆動回路は、
前記予備信号線出力バッファ入力用外部側端子と増幅前の共通電極電圧を伝送する所定の配線とが接続され、前記予備信号線出力バッファ出力用外部側端子と前記共通電極とが接続された、第３の映像信号線駆動回路を含むことを特徴とする、表示装置。
【請求項１４】
前記表示部内に擬似信号線を備える、請求項１０から１３のいずれか１項に記載の表示装置であって、
前記複数の映像信号線駆動回路は、
前記予備信号線出力バッファ入力用表示部側端子と前記映像信号線とが接続され、前記予備信号線出力バッファ出力用表示部側端子と前記擬似信号線とが接続された、第４の映像信号線駆動回路を含むことを特徴とする、表示装置。
【請求項１５】
表示すべき画像を表わす映像信号を伝達する映像信号線と、前記映像信号線と交差する走査信号線と、前記映像信号線の予備の信号線であって前記映像信号線の一端近傍および他端近傍において前記映像信号線と交差して形成された予備信号線とを備える表示部に、前記映像信号を供給する映像信号線駆動回路であって、
入力端子と出力端子とを有し前記入力端子から入力された信号を増幅して前記出力端子から出力する、前記予備信号線のための出力バッファである予備信号線出力バッファと、
前記映像信号線駆動回路の一側において前記表示部と接するように配置され、複数の端子を有する表示部側入出力部と、
前記映像信号線駆動回路の他側に配置され、複数の端子を有する外部側入出力部と、
前記入力端子および前記出力端子の接続先を切り替える切り替え手段とを備え、
前記表示部側入出力部は、
前記映像信号を前記映像信号線に出力するための映像信号線用出力端子と、
前記入力端子もしくは前記出力端子のいずれかと接続される予備信号線出力バッファ用表示部側端子とを含み、
前記外部側入出力部は、
前記映像信号を生成するための基準電圧を受け取るための基準電圧用入力端子と、
前記入力端子もしくは前記出力端子のいずれかと接続される予備信号線出力バッファ用外部側端子とを含み、
前記切り替え手段は、外部から与えられる選択信号に応じて、前記入力端子および前記出力端子の接続先を前記予備信号線出力バッファ用表示部側端子と前記予備信号線出力バッファ用外部側端子との間で互いに逆になるように切り替えることを特徴とする、映像信号線駆動回路。
【請求項１６】
請求項１５に記載の映像信号線駆動回路を複数備えた表示装置であって、
前記複数の映像信号線駆動回路は、
前記映像信号線の一端近傍において前記映像信号線と交差して形成された前記予備信号線と、前記予備信号線出力バッファ用表示部側端子とが接続され、前記映像信号線の他端近傍において前記映像信号線と交差して形成された前記予備信号線と、前記予備信号線出力バッファ用外部側端子とが接続された、第１の映像信号線駆動回路を含むことを特徴とする、表示装置。
【請求項１７】
所定の回路によって生成された共通電極電圧を増幅して前記表示部内の共通電極に与える、請求項１６に記載の表示装置であって、
前記複数の映像信号線駆動回路は、
前記予備信号線出力バッファ用外部側端子と増幅前の共通電極電圧を伝送する所定の配線とが接続され、前記予備信号線出力バッファ用表示部側端子と前記共通電極とが接続された、第３の映像信号線駆動回路を含むことを特徴とする、表示装置。
【発明の詳細な説明】
【技術分野】
【０００１】
本発明は、表示装置に関し、更に詳しくは、表示装置の映像信号線を駆動する映像信号線駆動回路の配線構造に関する。
【背景技術】
【０００２】
従来より、複数の走査信号線と複数の映像信号線とが格子状に配置され、それら複数の走査信号線と複数の映像信号線との交差点にそれぞれ対応して複数の画素形成部がマトリクス状に配置されたアクティブマトリクス型の液晶表示装置が知られている。近年、アクティブマトリクス型の液晶表示装置において、表示すべき画像の高精細化等に伴い、映像信号線の線幅が狭くなっている。このような映像信号線に断線が生じると、映像信号はその断線箇所までしか供給されないため表示不良が生じる。このため、予め映像信号線の予備の信号線（以下、「予備信号線」という。）を備え、断線が生じたときに、その断線が生じた映像信号線の両端付近において、映像信号線と予備信号線とを接続することによって断線に対処する技術が知られている。このような技術は、例えば特許文献１等に開示されており、図１３を参照しつつ、以下に説明する。
【０００３】
図１３は、従来の液晶表示装置において、映像信号線に断線が生じた場合の対処について説明するための配線図である。便宜上、図１３には、液晶表示装置の構成要素のうち、画像を表示する表示部５００と、表示部５００を駆動するための映像信号を生成する複数のソースドライバ３００からなるソースドライバ群３と、ソースドライバ３００における映像信号生成のための基準電圧を生成する基準電圧生成回路６００のみを示している。図１３に示すように、表示部５００の側縁のうちソースドライバ群３と接している一側（以下、その一側近傍の表示領域外の部分を含めて「表示部一側」という。）５Ａから表示部５００の他側（以下、その他側近傍の表示領域外の部分を含めて「表示部他側」という。）５Ｂへと延びるように、複数の映像信号線ＳＬ１〜ＳＬｎが平行に配置されている。また、表示部一側５Ａにおいて、ソースドライバ群３と表示部５００とが接続され、各ソースドライバ３００は表示部５００内の複数の映像信号線と接続されている。さらに、液晶表示装置には上述した予備信号線５１が設けられている。予備信号線５１は、この液晶表示装置に設けられている複数のソースドライバ３００のうちの所定個数毎に１本ずつ設けられている。図１３に示す構成では、２個のソースドライバ３００につき１本の予備信号線５１が設けられている。なお、以下の説明においては、１本の予備信号線５１と対応付けられている複数のソースドライバ３００の集合を「ソースドライバグループ３０００」という。各予備信号線５１は、対応するソースドライバグループ３０００内のソースドライバ３００と接続された映像信号線に断線が生じたときに、その断線が生じた映像信号線に替わり、映像信号を伝送する。各予備信号線５１は、表示部一側５Ａおよび表示部他側５Ｂにおいて、対応するソースドライバグループ３０００内のソースドライバ３００と接続された複数の映像信号線と交差するように配置されている。また、各予備信号線５１は、図１３に示すように、表示部一側５Ａからソースドライバ３００およびこの液晶表示装置の外縁を通過して表示部他側５Ｂへと延びるように配線されている。なお、映像信号線に断線が生じるまでは、各予備信号線５１と映像信号線とは接続されない。
【０００４】
ここで、図１３で符号ＸｉおよびＸｊで示す地点でそれぞれ映像信号線ＳＬｉおよびＳＬｊに断線が生じた場合の対処について説明する。符号Ｘｉで示す地点で映像信号線ＳＬｉに断線が生じた場合、ソースドライバ３００から出力された映像信号は、地点Ｘｉまでは映像信号線ＳＬｉによって伝送されるが、地点Ｘｉより表示部他側５Ｂに近い地点には伝送されない。そこで、映像信号線ＳＬｉと予備信号線５１とが交差する地点Ｐ１および地点Ｐ２において、映像信号線ＳＬｉと予備信号線５１とを電気的に接続する。これにより、映像信号線ＳＬｉ上において地点Ｘｉより表示部他側５Ｂに近い地点については、映像信号は、地点Ｐ１から地点Ｐ２までは予備信号線５１によって伝送され、地点Ｐ２から地点Ｘｉまでは映像信号線ＳＬｉによって伝送される。符号Ｘｊで示す地点で映像信号線ＳＬｊに断線が生じた場合には、映像信号線ＳＬｊと予備信号線５１とが交差する地点Ｐ３および地点Ｐ４において、映像信号線ＳＬｊと予備信号線５１とを電気的に接続する。これにより、映像信号線ＳＬｊ上において地点Ｘｊより表示部他側５Ｂに近い地点については、映像信号は、地点Ｐ３から地点Ｐ４までは予備信号線５１によって伝送され、地点Ｐ４から地点Ｘｊまでは映像信号線ＳＬｊによって伝送される。
【０００５】
ここで、ソースドライバ３００に着目すると、予備信号線５１の経路上にバッファ３２が設けられている。予備信号線５１は、上述のとおり、表示部一側５Ａからソースドライバ３００およびこの液晶表示装置の外縁を通過して表示部他側５Ｂへ延びるように配線されている。このため、配線抵抗等の影響により、予備信号線５１によって伝送される映像信号の電圧降下が大きくなる。その結果、表示部他側５Ｂには安定した電圧の映像信号が供給されない。そこで、上述のバッファ３２が各ソースドライバ３００に設けられている。このバッファ３２としては、入力インピーダンスが極めて高く、出力インピーダンスが極めて小さいという特徴を有する、ボルテージフォロアが使用される。これにより、バッファ３２の前段の回路にバッファ３２の後段の回路の影響が及ばず、前段の回路で生成された電圧が後段の回路へそのまま出力される（増幅率が１倍となる）。このようなバッファ３２の動作を説明するため、本説明においては、「後段の回路の影響を前段の回路に及ぼすことなく、入力された電圧をそのまま出力する」ことを「増幅する」という。図１３に示す例では、予備信号線５１によって伝送される映像信号はソースドライバ３００内のバッファ（以下、「予備信号線出力バッファ」という。）３２によって増幅され、表示部他側５Ｂにおいても安定した電圧の映像信号が供給されている。なお、予備信号線５１の通過経路とはなっていないソースドライバ３００にも予備信号線出力バッファ３２が設けられているが、これは、ソースドライバ３００の製造プロセスの簡略化等のために、各液晶表示装置のソースドライバ群３には同一構成のソースドライバ３００が用いられるからである。
【０００６】
ところで、各ソースドライバ３００における映像信号生成のために、各ソースドライバ３００には、表示画像の各階調に対応する階調電圧を生成するための基準となる電圧（以下、「基準電圧」という。）が供給される。各ソースドライバ３００では、基準電圧に基づいて階調電圧が生成される。例えば、８個の基準電圧に基づいて２５６個の階調電圧が生成される。さらに、各ソースドライバに供給される画像信号と階調電圧とに基づいて映像信号が生成される。このように生成された映像信号が、各ソースドライバ３００から映像信号線に供給される。
【０００７】
図１４は、基準電圧を生成する回路（以下、「基準電圧生成回路」という。）６５０の一例を示す回路図である。図１４に示すように、基準電圧生成回路は６５０、複数の抵抗器からなる分圧回路６８と複数のバッファ（以下、「基準電圧出力バッファ」という。）６９とによって構成される。基準電圧生成回路６５０において、分圧回路６８の両端に与えられる電位レベルに基づいて、複数の基準電圧Ｖ（１）〜Ｖ（Ｎ）が生成される。それら複数の基準電圧Ｖ（１）〜Ｖ（Ｎ）は、それぞれ基準電圧出力バッファ６９によって増幅され、ソースドライバ３００に供給される。また、複数の基準電圧Ｖ（１）〜Ｖ（Ｎ）についてそれぞれ増幅の必要があるので、図１４に示すように、基準電圧出力バッファ６９は基準電圧生成回路６５０によって生成される基準電圧Ｖ（１）〜Ｖ（Ｎ）と等しい数だけ設けられている。例えば、８個の基準電圧が生成される構成においては、８個の基準電圧出力バッファ６９が設けられている。基準電圧出力バッファ６９は、図１４に示す例では基準電圧生成回路６５０内に設けられているが、ソースドライバ３００内に設けられていることもある。なお、本願出願人は、予備信号線のために設けられたバッファがダミー信号線を駆動するためのバッファとしても用いられる構成とした液晶表示装置の発明について、既に出願している（特許文献３参照）。
【特許文献１】特開平８−１７１０８１号公報
【特許文献２】特開２００１−１６６７２６号公報
【特許文献３】特開２００３−１６２２６５号公報
【発明の開示】
【発明が解決しようとする課題】
【０００８】
ところが、上述のような液晶表示装置によると、予備信号線出力バッファ３２は全てのソースドライバ３００に設けられ、なおかつ、基準電圧生成回路６５０で生成される基準電圧Ｖ（１）〜Ｖ（Ｎ）に等しい数の基準電圧出力バッファ６９が設けられている。このような構成によると、バッファを構成するための多数の部品が必要となり、コストが上昇する。また、多数のバッファが設けられているために、回路面積の増大や消費電流の増加という問題も生じている。
【０００９】
そこで、本発明では、液晶表示装置等の表示装置において、必要なバッファの数を削減し、コストの削減、回路面積の低減、消費電流の低下を実現することを目的とする。
【課題を解決するための手段】
【００１０】
第１の発明は、表示すべき画像を表わす映像信号を伝達する映像信号線と、前記映像信号線と交差する走査信号線と、前記映像信号線の予備の信号線であって前記映像信号線の一端近傍および他端近傍において前記映像信号線と交差して形成された予備信号線とを備える表示部に、前記映像信号を供給する映像信号線駆動回路であって、
入力端子と出力端子とを有し前記入力端子から入力された信号を増幅して前記出力端子から出力する、前記予備信号線のための出力バッファである予備信号線出力バッファと、
前記映像信号線駆動回路の一側において前記表示部と接するように配置され、複数の端子を有する表示部側入出力部と、
前記映像信号線駆動回路の他側に配置され、複数の端子を有する外部側入出力部と、
前記表示部側入出力部と前記外部側入出力部とを接続する信号線である映像信号線駆動回路内バイパス信号線とを備え、
前記表示部側入出力部は、
前記映像信号を前記映像信号線に出力するための映像信号線用出力端子と、
前記予備信号線出力バッファの前記入力端子と接続された予備信号線出力バッファ用表示部側端子と、
前記映像信号線駆動回路内バイパス信号線の一端と接続された映像信号線駆動回路内バイパス信号線用表示部側端子とを含み、
前記外部側入出力部は、
前記映像信号を生成するための基準電圧を受け取るための基準電圧用入力端子と、
前記予備信号線出力バッファの前記出力端子と接続された予備信号線出力バッファ用外部側端子と、
前記映像信号線駆動回路内バイパス信号線の一端と接続された映像信号線駆動回路内バイパス信号線用外部側端子とを含んでいることを特徴とする。
【００１１】
第２の発明は、第１の発明に係る映像信号線駆動回路を複数備えた表示装置であって、
前記表示部側入出力部に含まれる所定の端子間を接続する信号線である表示部内バイパス信号線を有し、
前記複数の映像信号線駆動回路は、
前記映像信号線の一端近傍において前記映像信号線と交差して形成された前記予備信号線と、前記予備信号線出力バッファ用表示部側端子とが接続され、前記映像信号線の他端近傍において前記映像信号線と交差して形成された前記予備信号線と、前記予備信号線出力バッファ用外部側端子とが接続された、第１の映像信号線駆動回路と、
前記予備信号線出力バッファ用表示部側端子と前記表示部内バイパス信号線の一端とが接続され、前記映像信号線駆動回路内バイパス信号線用表示部側端子と前記表示部内バイパス信号線の他端とが接続された、第２の映像信号線駆動回路とを含むことを特徴とする。
【００１２】
第３の発明は、増幅後の複数の基準電圧に基づいて前記映像信号を生成する、第２の発明に係る表示装置であって、
前記第２の映像信号線駆動回路の前記バイパス信号線用外部側端子と増幅前の基準電圧を伝送する所定の配線とが接続され、
前記第２の映像信号線駆動回路の前記予備信号線出力バッファ用外部側端子と前記複数の映像信号線駆動回路の前記基準電圧用入力端子とが接続されることを特徴とする。
【００１３】
第４の発明は、第３の発明において、
前記増幅前の基準電圧を生成する分圧回路を更に備え、
前記増幅前の基準電圧を伝送する所定の配線は、前記分圧回路と接続されていることを特徴とする。
【００１４】
第５の発明は、表示すべき画像を表わす映像信号を伝達する映像信号線と、前記映像信号線と交差する走査信号線と、前記映像信号線の予備の信号線であって前記映像信号線の一端近傍および他端近傍において前記映像信号線と交差して形成された予備信号線とを備える表示部に、前記映像信号を供給する映像信号線駆動回路であって、
入力端子と出力端子とを有し前記入力端子から入力された信号を増幅して前記出力端子から出力する、前記予備信号線のための出力バッファである予備信号線出力バッファと、
前記映像信号線駆動回路の一側において前記表示部と接するように配置され、複数の端子を有する表示部側入出力部と、
前記映像信号線駆動回路の他側に配置され、複数の端子を有する外部側入出力部と、
前記表示部側入出力部と前記外部側入出力部とを接続する信号線である映像信号線駆動回路内バイパス信号線とを備え、
前記表示部側入出力部は、
前記映像信号を前記映像信号線に出力するための映像信号線用出力端子と、
前記映像信号線駆動回路内バイパス信号線の一端と接続された映像信号線駆動回路内バイパス信号線用表示部側端子とを含み、
前記外部側入出力部は、
前記映像信号を生成するための基準電圧を受け取るための基準電圧用入力端子と、
前記予備信号線出力バッファの前記入力端子と接続された予備信号線出力バッファ入力用端子と、
前記予備信号線出力バッファの前記出力端子と接続された予備信号線出力バッファ出力用端子と、
前記映像信号線駆動回路内バイパス信号線の一端と接続された映像信号線駆動回路内バイパス信号線用外部側端子とを含んでいることを特徴とする。
【００１５】
第６の発明は、第５の発明に係る映像信号線駆動回路を複数備えた表示装置であって、
前記複数の映像信号線駆動回路は、
前記映像信号線の一端近傍において前記映像信号線と交差して形成された前記予備信号線と、前記映像信号線駆動回路内バイパス信号線用表示部側端子とが接続され、前記映像信号線駆動回路内バイパス信号線用外部側端子と前記予備信号線出力バッファ入力用端子とが接続され、前記映像信号線の他端近傍において前記映像信号線と交差して形成された前記予備信号線と、前記予備信号線出力バッファ出力用端子とが接続された、第１の映像信号線駆動回路を含むことを特徴とする。
【００１６】
第７の発明は、増幅後の複数の基準電圧に基づいて前記映像信号を生成する、第６の発明に係る表示装置であって、
前記複数の映像信号線駆動回路は、
前記予備信号線出力バッファ入力用端子と増幅前の基準電圧を伝送する所定の配線とが接続され、前記予備信号線出力バッファ出力用端子と前記複数の映像信号線駆動回路の前記基準電圧用入力端子とが接続された、第２の映像信号線駆動回路を含むことを特徴とする。
【００１７】
第８の発明は、第７の発明において、
前記増幅前の基準電圧を生成する分圧回路を更に備え、
前記増幅前の基準電圧を伝送する所定の配線は、前記分圧回路と接続されていることを特徴とする。
【００１８】
第９の発明は、表示すべき画像を表わす映像信号を伝達する映像信号線と、前記映像信号線と交差する走査信号線と、前記映像信号線の予備の信号線であって前記映像信号線の一端近傍および他端近傍において前記映像信号線と交差して形成された予備信号線とを備える表示部に、前記映像信号を供給する映像信号線駆動回路であって、
入力端子と出力端子とを有し前記入力端子から入力された信号を増幅して前記出力端子から出力する、前記予備信号線のための出力バッファである予備信号線出力バッファと、
前記映像信号線駆動回路の一側において前記表示部と接するように配置され、複数の端子を有する表示部側入出力部と、
前記映像信号線駆動回路の他側に配置され、複数の端子を有する外部側入出力部とを備え、
前記表示部側入出力部は、
前記映像信号を前記映像信号線に出力するための映像信号線用出力端子と、
前記予備信号線出力バッファの前記入力端子と接続された予備信号線出力バッファ入力用表示部側端子と、
前記予備信号線出力バッファの前記出力端子と接続された予備信号線出力バッファ出力用表示部側端子とを含み、
前記外部側入出力部は、
前記映像信号を生成するための基準電圧を受け取るための基準電圧用入力端子と、
前記予備信号線出力バッファの前記入力端子と接続された予備信号線出力バッファ入力用外部側端子と、
前記予備信号線出力バッファの前記出力端子と接続された予備信号線出力バッファ出力用外部側端子とを含んでいることを特徴とする。
【００１９】
第１０の発明は、第９の発明に係る映像信号線駆動回路を複数備えた表示装置であって、
前記複数の映像信号線駆動回路は、
前記映像信号線の一端近傍において前記映像信号線と交差して形成された前記予備信号線と、前記予備信号線出力バッファ入力用表示部側端子とが接続され、前記映像信号線の他端近傍において前記映像信号線と交差して形成された前記予備信号線と、前記予備信号線出力バッファ出力用外部側端子とが接続された、第１の映像信号線駆動回路を含むことを特徴とする。
【００２０】
第１１の発明は、増幅後の複数の基準電圧に基づいて前記映像信号を生成する、第１０の発明に係る表示装置であって、
前記複数の映像信号線駆動回路は、
前記予備信号線出力バッファ入力用外部側端子と増幅前の基準電圧を伝送する所定の配線とが接続され、前記予備信号線出力バッファ出力用外部側端子と前記複数の映像信号線駆動回路の前記基準電圧用入力端子とが接続された、第２の映像信号線駆動回路を含むことを特徴とする。
【００２１】
第１２の発明は、第１１の発明において、
前記増幅前の基準電圧を生成する分圧回路を更に備え、
前記増幅前の基準電圧を伝送する所定の配線は、前記分圧回路と接続されていることを特徴とする。
【００２２】
第１３の発明は、所定の回路によって生成された共通電極電圧を増幅して前記表示部内の共通電極に与える、第１０から第１２のいずれかの発明に係る表示装置であって、
前記複数の映像信号線駆動回路は、
前記予備信号線出力バッファ入力用外部側端子と増幅前の共通電極電圧を伝送する所定の配線とが接続され、前記予備信号線出力バッファ出力用外部側端子と前記共通電極とが接続された、第３の映像信号線駆動回路を含むことを特徴とする。
【００２３】
第１４の発明は、前記表示部内に擬似信号線を備える、第１０から第１３のいずれかの発明に係る表示装置であって、
前記複数の映像信号線駆動回路は、
前記予備信号線出力バッファ入力用表示部側端子と前記映像信号線とが接続され、前記予備信号線出力バッファ出力用表示部側端子と前記擬似信号線とが接続された、第４の映像信号線駆動回路を含むことを特徴とする。
【００２４】
第１５の発明は、表示すべき画像を表わす映像信号を伝達する映像信号線と、前記映像信号線と交差する走査信号線と、前記映像信号線の予備の信号線であって前記映像信号線の一端近傍および他端近傍において前記映像信号線と交差して形成された予備信号線とを備える表示部に、前記映像信号を供給する映像信号線駆動回路であって、
入力端子と出力端子とを有し前記入力端子から入力された信号を増幅して前記出力端子から出力する、前記予備信号線のための出力バッファである予備信号線出力バッファと、
前記映像信号線駆動回路の一側において前記表示部と接するように配置され、複数の端子を有する表示部側入出力部と、
前記映像信号線駆動回路の他側に配置され、複数の端子を有する外部側入出力部と、
前記入力端子および前記出力端子の接続先を切り替える切り替え手段とを備え、
前記表示部側入出力部は、
前記映像信号を前記映像信号線に出力するための映像信号線用出力端子と、
前記入力端子もしくは前記出力端子のいずれかと接続される予備信号線出力バッファ用表示部側端子とを含み、
前記外部側入出力部は、
前記映像信号を生成するための基準電圧を受け取るための基準電圧用入力端子と、
前記入力端子もしくは前記出力端子のいずれかと接続される予備信号線出力バッファ用外部側端子とを含み、
前記切り替え手段は、外部から与えられる選択信号に応じて、前記入力端子および前記出力端子の接続先を前記予備信号線出力バッファ用表示部側端子と前記予備信号線出力バッファ用外部側端子との間で互いに逆になるように切り替えることを特徴とする。
【００２５】
第１６の発明は、第１５の発明に係る映像信号線駆動回路を複数備えた表示装置であって、
前記複数の映像信号線駆動回路は、
前記映像信号線の一端近傍において前記映像信号線と交差して形成された前記予備信号線と、前記予備信号線出力バッファ用表示部側端子とが接続され、前記映像信号線の他端近傍において前記映像信号線と交差して形成された前記予備信号線と、前記予備信号線出力バッファ用外部側端子とが接続された、第１の映像信号線駆動回路を含むことを特徴とする。
【００２６】
第１７の発明は、所定の回路によって生成された共通電極電圧を増幅して前記表示部内の共通電極に与える、第１６の発明に係る表示装置であって、
前記複数の映像信号線駆動回路は、
前記予備信号線出力バッファ用外部側端子と増幅前の共通電極電圧を伝送する所定の配線とが接続され、前記予備信号線出力バッファ用表示部側端子と前記共通電極とが接続された、第３の映像信号線駆動回路を含むことを特徴とする。
【発明の効果】
【００２７】
上記第１の発明によれば、映像信号線駆動回路には、表示部側入出力部と外部側入出力部とを接続する映像信号線駆動回路内バイパス信号線が設けられている。このため、表示部側入出力部を介して、映像信号線駆動回路内バイパス信号線と予備信号線出力バッファの入力端子とを接続することができる。これにより、外部から映像信号線駆動回路内バイパス信号線に与えられた信号は、予備信号線出力バッファによって増幅され、増幅後の信号が外部に出力される。また、外部側入出力部を介して、映像信号線駆動回路内バイパス信号線と予備信号線出力バッファの出力端子とを接続することができる。これにより、表示部から予備信号線出力バッファの入力端子に与えられた信号は、予備信号線出力バッファによって増幅され、増幅後の信号が表示部に出力される。このようにして、予備信号線出力バッファを予備信号線によって伝送される映像信号の増幅以外の用途に適用することができる。その結果、必要なバッファの数を削減することができる。
【００２８】
上記第２の発明によれば、表示装置において、映像信号を伝送する予備信号線に予備信号線出力バッファが接続された第１の映像信号線駆動回路と、表示部内バイパス信号線によって映像信号線駆動回路内バイパス信号線と予備信号線出力バッファの入力端子とが接続された第２の映像信号線駆動回路とが設けられる。このため、第１の映像信号線駆動回路の予備信号線出力バッファは、従来と同様、予備信号線によって伝送される映像信号の増幅に供される。一方、第２の映像信号線駆動回路の予備信号線出力バッファは、外部から与えられた信号を増幅し、増幅後の信号を外部に出力する。これにより、映像信号線の断線等により予備信号線によって映像信号が伝送された場合にも、従来通り画像を表示しつつ、予備信号線によって伝送される映像信号の増幅に供されていない予備信号線出力バッファを他の用途に適用することができる。
【００２９】
上記第３の発明によれば、第２の映像信号線駆動回路内の映像信号線駆動回路内バイパス信号線には基準電圧が供給される。このため、第２の映像信号線駆動回路の予備信号線出力バッファは、基準電圧の増幅に供される。これにより、基準電圧のために従来設けられていたバッファを削減することができる。
【００３０】
上記第４の発明によれば、第２の映像信号線駆動回路の予備信号線出力バッファは、分圧回路から出力される基準電圧の増幅に供される。これにより、上記第３の発明と同様、基準電圧のために従来設けられていたバッファを削減することができる。
【００３１】
上記第５の発明によれば、予備信号線出力バッファの入力端子と出力端子とは、共に外部側入出力部と接続されている。このため、外部から予備信号線出力バッファの入力端子に与えられた信号を増幅し、その増幅後の信号を外部に出力することができる。また、映像信号線駆動回路には、表示部側入出力部と外部側入出力部とを接続する映像信号線駆動回路内バイパス信号線が設けられている。このため、外部側入出力部を介して、映像信号線駆動回路内バイパス信号線と予備信号線出力バッファの入力端子とを接続することができる。これにより、表示部から映像信号線駆動回路内バイパス信号線に与えられた信号は、予備信号線出力バッファによって増幅され、増幅後の信号が外部に出力される。また、外部側入出力部を介して、映像信号線駆動回路内バイパス信号線と予備信号線出力バッファの出力端子とを接続することができる。これにより、外部から予備信号線出力バッファの入力端子に与えられた信号は、予備信号線出力バッファによって増幅され、増幅後の信号が表示部に出力される。このようにして、予備信号線出力バッファを予備信号線によって伝送される映像信号の増幅以外の用途に適用することができる。その結果、必要なバッファの数を削減することができる。
【００３２】
上記第６の発明によれば、表示装置において、映像信号を伝送する予備信号線に予備信号線出力バッファが接続された第１の映像信号線駆動回路が設けられる。このため、第１の映像信号線駆動回路の予備信号線出力バッファは、予備信号線によって伝送される映像信号の増幅に供される。これにより、映像信号線の断線等により予備信号線によって映像信号が伝送された場合にも、従来通り画像を表示しつつ、予備信号線によって伝送される映像信号の増幅に供されていない予備信号線出力バッファを他の用途に適用することができる。
【００３３】
上記第７の発明によれば、予備信号線出力バッファの入力端子に基準電圧が与えられる第２の映像信号線駆動回路が設けられる。このため、第２の映像信号線駆動回路の予備信号線出力バッファは、基準電圧の増幅に供される。これにより、基準電圧のために従来設けられていたバッファを削減することができる。
【００３４】
上記第８の発明によれば、第２の映像信号線駆動回路の予備信号線出力バッファは、分圧回路から出力される基準電圧の増幅に供される。これにより、上記第７の発明と同様、基準電圧のために従来設けられていたバッファを削減することができる。
【００３５】
上記第９の発明によれば、予備信号線出力バッファの入力端子と出力端子とは、共に表示部側入出力部および外部側入出力部の端子と接続されている。このため、外部から予備信号線出力バッファの入力端子に与えられた信号を増幅し、その増幅後の信号を外部および表示部のいずれにも出力することができる。また、表示部から予備信号線出力バッファの入力端子に与えられた信号を増幅し、その増幅後の信号を外部および表示部のいずれにも出力することもできる。これにより、予備信号線出力バッファを予備信号線によって伝送される映像信号の増幅以外の用途に適用することができる。その結果、必要なバッファの数を削減することができる。
【００３６】
上記第１０の発明によれば、表示装置において、映像信号を伝送する予備信号線に予備信号線出力バッファが接続された第１の映像信号線駆動回路が設けられる。このため、第１の映像信号線駆動回路の予備信号線出力バッファは、予備信号線によって伝送される映像信号の増幅に供される。これにより、映像信号線の断線等により予備信号線によって映像信号が伝送された場合にも、従来通り画像を表示しつつ、予備信号線によって伝送される映像信号の増幅に供されていない予備信号線出力バッファを他の用途に適用することができる。
【００３７】
上記第１１の発明によれば、予備信号線出力バッファの入力端子に基準電圧が与えられる第２の映像信号線駆動回路が設けられる。このため、第２の映像信号線駆動回路の予備信号線出力バッファは、基準電圧の増幅に供される。これにより、基準電圧のために従来設けられていたバッファを削減することができる。
【００３８】
上記第１２の発明によれば、第２の映像信号線駆動回路の予備信号線出力バッファは、分圧回路から出力される基準電圧の増幅に供される。これにより、上記第１１の発明と同様、基準電圧のために従来設けられていたバッファを削減することができる。
【００３９】
上記第１３の発明によれば、予備信号線出力バッファの入力端子に共通電極電圧が与えられる第３の映像信号線駆動回路が設けられる。このため、第３の映像信号線駆動回路の予備信号線出力バッファは、共通電極電圧の増幅に供される。これにより、共通電極電圧のために従来設けられていたバッファを削減することができる。
【００４０】
上記第１４の発明によれば、予備信号線出力バッファの入力端子と映像信号線とが接続され、予備信号線出力バッファの出力端子と擬似信号線とが接続される第４の映像信号線駆動回路が設けられる。このため、第４の映像信号線駆動回路の予備信号線出力バッファは、擬似信号線に供給される映像信号の増幅に供される。
【００４１】
上記第１５の発明によれば、予備信号線出力バッファの入力端子は、選択信号に応じて、表示部側入出力部もしくは外部側入出力部の端子と接続される。また、予備信号線出力バッファの出力端子も、選択信号に応じて、表示部側入出力部もしくは外部側入出力部の端子と接続される。このため、外部から予備信号線出力バッファの入力端子に与えられた信号を増幅し、その増幅後の信号を表示部に出力することができる。また、表示部から予備信号線出力バッファの入力端子に与えられた信号を増幅し、その増幅後の信号を外部に出力することもできる。また、外部から予備信号線出力バッファの入力端子に与えられた信号を増幅して増幅後の信号を表示部に出力するか、表示部から予備信号線出力バッファの入力端子に与えられた信号を増幅して増幅後の信号を外部に出力するかについて、表示装置への実装後に切り替えることができる。これにより、効果良く、予備信号線出力バッファを予備信号線によって伝送される映像信号の増幅以外の用途に適用することができる。その結果、必要なバッファの数を削減することができる。
【００４２】
上記第１６の発明によれば、表示装置において、映像信号を伝送する予備信号線に予備信号線出力バッファが接続された第１の映像信号線駆動回路が設けられる。このため、第１の映像信号線駆動回路の予備信号線出力バッファは、予備信号線によって伝送される映像信号の増幅に供される。これにより、映像信号線の断線等により予備信号線によって映像信号が伝送された場合にも、従来通り画像を表示しつつ、予備信号線によって伝送される映像信号の増幅に供されていない予備信号線出力バッファを他の用途に適用することができる。
【００４３】
上記第１７の発明によれば、予備信号線出力バッファの入力端子に共通電極電圧が与えられる第３の映像信号線駆動回路が設けられる。このため、第３の映像信号線駆動回路の予備信号線出力バッファは、共通電極電圧の増幅に供される。これにより、共通電極電圧のために従来設けられていたバッファを削減することができる。
【発明を実施するための最良の形態】
【００４４】
以下、添付図面を参照しつつ本発明の実施形態について説明する。
【００４５】
＜１．第１の実施形態＞
＜１．１  全体の構成および動作＞
図１は、本発明の第１の実施形態に係るアクティブマトリクス型の液晶表示装置の全体構成を示すブロック図である。この液晶表示装置は、表示制御回路２００と、複数のソースドライバ（映像信号線駆動回路）３００からなるソースドライバ群３と、複数のゲートドライバ（走査信号線駆動回路）４００からなるゲートドライバ群４と、表示部５００と、基準電圧生成回路６００とを備えている。ソースドライバ群３を構成する複数のソースドライバ３００は、本実施形態においては２個ずつグループ化されている。従って、ソースドライバ群３には、ソースドライバ３００の総数の２分の１のソースドライバグループ３０００が含まれている。各ソースドライバ３００には、予備信号線出力バッファ３２と後述するソースドライバ内バイパス信号線（映像信号線駆動回路内バイパス信号線）３１とが含まれている。表示部５００の内部には、複数の走査信号線ＧＬ１〜ＧＬｍと複数の映像信号線ＳＬ１〜ＳＬｎとが互いに格子状に設けられており、その複数の走査信号線ＧＬ１〜ＧＬｍはゲートドライバ４００と接続され、その複数の映像信号線ＳＬ１〜ＳＬｎはソースドライバ３００と接続されている。また、複数の走査信号線ＧＬ１〜ＧＬｍと複数の映像信号線ＳＬ１〜ＳＬｎとの交差点にそれぞれ対応して画素形成部（不図示）が設けられている。各画素形成部には、画素値を示す電圧を保持するための画素容量が含まれている。表示部一側５Ａおよび表示部他側５Ｂには、それぞれ複数の予備信号線５１が設けられている。各予備信号線５１は、ソースドライバ群３に含まれるソースドライバグループ３０００と対応付けられており、その対応するソースドライバグループ３０００内のソースドライバ３００と接続された複数の映像信号線と交差するように形成されている。さらに、表示部一側５Ａには、ソースドライバ３００内の２本の配線を接続するための配線（以下、「表示部内バイパス信号線」という。）５２がソースドライバグループ３０００毎に設けられている。なお、ソースドライバ３００内の配線構造、ソースドライバ３００と表示部５００との接続構造、ソースドライバ３００と基準電圧生成回路６００との接続構造については後述する。
【００４６】
表示制御回路２００は、外部から送られる画像データＤＶを受け取り、その画像データＤＶに基づく画像を表示部５００に表示するためのタイミングを制御するソーススタートパルス信号ＳＳＰ、ソースクロック信号ＳＣＫ、ゲートスタートパルス信号ＧＳＰ、およびゲートクロック信号ＧＣＫと、表示部５００に表示する画像を示すデジタル画像信号ＤＡとを出力する。基準電圧生成回路６００は、映像信号線ＳＬ１〜ＳＬｎに供給すべき映像信号を生成するための複数の基準電圧Ｖ（１）〜Ｖ（Ｎ）を生成し、出力する。ソースドライバ３００は、表示制御回路２００から出力されたデジタル画像信号ＤＡ、ソーススタートパルス信号ＳＳＰ、およびソースクロック信号ＳＣＫと、基準電圧生成回路６００から出力された基準電圧Ｖ（１）〜Ｖ（Ｎ）とを受け取り、表示部５００を駆動するために、駆動用の映像信号を各映像信号線ＳＬ１〜ＳＬｎに印加する。ゲートドライバ４００は、各走査信号線ＧＬ１〜ＧＬｍを１水平走査期間ずつ順次に選択するために、表示制御回路２００から出力されたゲートスタートパルス信号ＧＳＰとゲートクロック信号ＧＣＫとに基づいて、アクティブな走査信号の各走査信号線への印加を１垂直走査期間を周期として繰り返す。以上のようにして、映像信号線ＳＬ１〜ＳＬｎに映像信号が印加され、走査信号線ＧＬ１〜ＧＬｍに走査信号が印加されることにより、表示部５００に画像が表示される。
【００４７】
ここで、図１で符号ＸｉおよびＸｊで示す地点でそれぞれ映像信号線ＳＬｉおよびＳＬｊに断線が生じた場合の対処について説明する。映像信号線ＳＬｉと予備信号線５１とが交差する地点Ｐ１および地点Ｐ２において、映像信号線ＳＬｉと予備信号線５１とを電気的に接続する。これにより、映像信号線ＳＬｉ上において地点Ｘｉより表示部一側５Ａに近い地点については、映像信号は、ソースドライバ３００と接続された映像信号線ＳＬｉのみによって伝送される。一方、映像信号線ＳＬｉ上において地点Ｘｉより表示部他側５Ｂに近い地点については、映像信号は、地点Ｐ１から地点Ｐ２までは予備信号線５１によって伝送され、地点Ｐ２から地点Ｘｉまでは映像信号線ＳＬｉによって伝送される。このとき、予備信号線５１によって伝送される映像信号は、予備信号線出力バッファ３２によって増幅される。さらに、映像信号線ＳＬｊと予備信号線５１とが交差する地点Ｐ３および地点Ｐ４において、映像信号線ＳＬｊと予備信号線５１とを電気的に接続する。これにより、映像信号線ＳＬｊ上において地点Ｘｊより表示部一側５Ａに近い地点については、映像信号は、ソースドライバ３００と接続された映像信号線ＳＬｊのみによって伝送される。一方、映像信号線ＳＬｊ上において地点Ｘｊより表示部他側５Ｂに近い地点については、映像信号は、地点Ｐ３から地点Ｐ４までは予備信号線５１によって伝送され、地点Ｐ４から地点Ｘｊまでは映像信号線ＳＬｊによって伝送される。このとき、予備信号線５１によって伝送される映像信号は、予備信号線出力バッファ３２によって増幅される。
【００４８】
＜１．２  ソースドライバの配線構造＞
図２は、本実施形態において、ソースドライバ３００の配線構造を示す平面図である。このソースドライバ３００には、複数の端子を有する表示部側入出力部３８と、複数の端子を有する外部側入出力部３９と、入力端子３３および出力端子３４を有する予備信号線出力バッファ３２と、ソースドライバ内バイパス信号線３１とが含まれている。表示部側入出力部３８には、表示部５００内の映像信号線への映像信号の供給のためにソースドライバ３００内に設けられている配線（不図示）と表示部５００内の映像信号線とを接続するための端子（映像信号線用出力端子）８３と、予備信号線出力バッファ３２の入力端子３３と表示部５００内の配線とを電気的に接続するための端子（予備信号線出力バッファ用表示部側端子）８２と、ソースドライバ内バイパス信号線３１の一端と表示部５００内の配線とを接続するためのソースドライバ内バイパス信号線用表示部側端子８１とが含まれている。一方、外部側入出力部３９には、映像信号を生成するための基準電圧Ｖ（１）〜Ｖ（Ｎ）を受け取るためにソースドライバ３００内に設けられている配線（不図示）と基準電圧Ｖ（１）〜Ｖ（Ｎ）を伝送するソースドライバ３００外部の配線とを接続するための端子（基準電圧用入力端子）９３と、予備信号線出力バッファ３２の出力端子３４とソースドライバ３００外部の配線とを電気的に接続するための端子（予備信号線出力バッファ用外部側端子）９２と、ソースドライバ内バイパス信号線３１の他端とソースドライバ３００外部の配線とを接続するためのソースドライバ内バイパス信号線用外部側端子９１とが含まれている。
【００４９】
＜１．３  ソースドライバと表示部等との接続構造＞
図３は、ソースドライバ３００と表示部５００および基準電圧生成回路６００との接続構造を示す配線図である。なお、図３には、説明の便宜上、１ソースドライバグループ３０００に含まれるソースドライバ３００のみを示している。本実施形態では、１ソースドライバグループには２個のソースドライバ３００が含まれている。そのうちの一方のソースドライバ（以下、「第１タイプソースドライバ」という。）３００Ａの予備信号線出力バッファ３２Ａは、従来と同様、予備信号線５１によって伝送される映像信号の増幅に供される。これに対して、他方のソースドライバ（以下、「第２タイプソースドライバ」という。）３００Ｂの予備信号線出力バッファ３２Ｂは、後述するように、基準電圧生成回路６００から出力された基準電圧の増幅に供される。なお、図３に示すように、基準電圧生成回路６００には、複数の基準電圧Ｖ（１）〜Ｖ（Ｎ）を生成する分圧回路６１と基準電圧を増幅するための基準電圧出力バッファ６２とが含まれている。
【００５０】
まず、第１タイプソースドライバ３００Ａと表示部５００および基準電圧生成回路６００との接続構造について説明する。基準電圧用入力端子９３Ａには、ソースドライバ外部の増幅後の基準電圧を伝送する配線６４が接続される。これにより、第１タイプソースドライバ３００Ａには増幅後の基準電圧が供給され、第１タイプソースドライバ３００Ａでは、その基準電圧に基づいて映像信号が生成される。映像信号線用出力端子８３Ａには、表示部５００内の映像信号線が接続される。これにより、第１タイプソースドライバ３００Ａで生成された映像信号が、映像信号線用出力端子８３Ａと接続された映像信号線に供給される。予備信号線出力バッファ用表示部側端子８２Ａには、表示部一側５Ａにおいて映像信号線と交差するように形成された予備信号線５１の一端が接続される。また、予備信号線出力バッファ用外部側端子９２Ａには、表示部他側５Ｂにおいて映像信号線と交差するように形成され、さらに表示部５００の外縁を通過して第１タイプソースドライバ３００Ａ近傍まで配線された予備信号線５１の一端が接続される。これにより、表示部一側５Ａから表示部他側５Ｂへと予備信号線５１によって伝送される映像信号が、予備信号線出力バッファ３２Ａによって増幅される。なお、ソースドライバ内バイパス信号線用表示部側端子８１Ａおよびソースドライバ内バイパス信号線用外部側端子９１Ａについては、表示部５００内の配線や第１タイプソースドライバ３００Ａ外部の配線とは接続されない。
【００５１】
次に、第２タイプソースドライバ３００Ｂと表示部５００および基準電圧生成回路６００との接続構造について説明する。基準電圧用入力端子９３Ｂには、ソースドライバ外部の増幅後の基準電圧を伝送する配線６４が接続される。これにより、第２タイプソースドライバ３００Ｂには増幅後の基準電圧が供給され、第２タイプソースドライバ３００Ｂでは、その基準電圧に基づいて映像信号が生成される。映像信号線用出力端子８３Ｂには、表示部５００内の映像信号線が接続される。これにより、第２タイプソースドライバ３００Ｂで生成された映像信号が、映像信号線用出力端子８３Ｂと接続された映像信号線に供給される。ソースドライバ内バイパス信号線用外部側端子９１Ｂには、基準電圧生成回路６００から出力された基準電圧を伝送するための配線６３が接続される。なお、この配線６３によって伝送される基準電圧は、基準電圧出力バッファ６２では増幅されていない。これにより、基準電圧生成回路６００で生成され未だ増幅されていない基準電圧が、第２タイプソースドライバ３００Ｂ内のソースドライバ内バイパス信号線３１Ｂに供給される。ソースドライバ内バイパス信号線用表示部側端子８１Ｂには、表示部内バイパス信号線５２の一端が接続される。予備信号線出力バッファ用表示部側端子８２Ｂには、表示部内バイパス信号線５２の他端が接続される。これにより、ソースドライバ内バイパス信号線３１Ｂと予備信号線出力バッファ３２Ｂの入力端子３３Ｂとが電気的に接続される。さらに、予備信号線出力バッファ用外部側端子９２Ｂには、ソースドライバ外部の増幅後の基準電圧を伝送するための配線６４が接続される。以上より、基準電圧生成回路６００で生成され未だ増幅されていない基準電圧が、基準電圧を伝送するための配線６３、ソースドライバ内バイパス信号線用外部側端子９１Ｂ、ソースドライバ内バイパス信号線３１Ｂ、ソースドライバ内バイパス信号線用表示部側端子８１Ｂ、表示部内バイパス信号線５２、予備信号線出力バッファ用表示部側端子８２Ｂを通過して、予備信号線出力バッファ３２Ｂの入力端子３３Ｂに与えられる。そして、その入力端子３３Ｂに与えられた基準電圧は、予備信号線出力バッファ３２Ｂによって増幅された後、予備信号線出力バッファ用外部側端子９２Ｂ、ソースドライバ外部の増幅後の基準電圧を伝送するための配線６４を通過して、各ソースドライバ３００の基準電圧用入力端子９３に与えられる。
【００５２】
＜１．４  効果＞
以上説明したように、本実施形態によると、ソースドライバ３００には、従来の構成要素に比して、表示部側入出力部３８と外部側入出力部３９とを接続するソースドライバ内バイパス信号線３１が付加されている。各ソースドライバグループ３０００内の第２タイプソースドライバ３００Ｂに着目すると、表示部側入出力部３８Ｂ内のソースドライバ内バイパス信号線用表示部側端子８１Ｂと予備信号線出力バッファ用表示部側端子８２Ｂとが表示部内バイパス信号線５２によって接続されている。これにより、ソースドライバ群３の外部から第２タイプソースドライバ３００Ｂに与えられた電圧を第２タイプソースドライバ３００Ｂ内の予備信号線出力バッファ３２Ｂによって増幅し、増幅後の電圧をソースドライバ群３の外部に出力することができる。本実施形態においては、第２タイプソースドライバ３００Ｂ内のソースドライバ内バイパス信号線用外部側端子９１Ｂは基準電圧生成回路６００と接続され、予備信号線出力バッファ用外部側端子９２Ｂは各ソースドライバ３００の基準電圧用入力端子９３と接続されている。このため、基準電圧生成回路６００から出力され、第２タイプソースドライバ３００Ｂ内のソースドライバ内バイパス信号線用外部側端子９１Ｂに与えられた基準電圧は、第２タイプソースドライバ３００Ｂ内の予備信号線出力バッファ３２Ｂによって増幅される。そして、その増幅後の基準電圧が各ソースドライバ３００に供給され、映像信号の生成に供される。以上のように、第２タイプソースドライバ３００Ｂ内の予備信号線出力バッファ３２Ｂは、基準電圧生成回路６００から出力された基準電圧の増幅に供されている。このため、従来、予備信号線出力バッファ３２とは別に設けられていた基準電圧出力バッファ６２が不要となる。これにより、液晶表示装置全体で必要なバッファの数を削減することができる。
【００５３】
また、表示部一側５Ａからソースドライバ３００、液晶表示装置の外縁を通過して表示部他側５Ｂへと配線された予備信号線５１によって伝送される映像信号は、従来と同様、ソースドライバ３００内の予備信号線出力バッファ３２によって増幅される。このため、表示部他側５Ｂにおいても安定した電圧が予備信号線５１によって供給され、断線が生じた映像信号線には画像を表示するために充分な電圧が印加される。これにより、映像信号線に断線が生じても、従来と同様に画像表示が行われる。
【００５４】
ここで、Ｎ個の基準電圧Ｖ（１）〜Ｖ（Ｎ）が各ソースドライバ３００に供給されている場合を例に挙げて、基準電圧出力バッファ６２の削減効果について説明する。なお、液晶表示装置は、Ｌ個のソースドライバ３００とＭ本の予備信号線５１とを備えているものと仮定する。従来、基準電圧出力バッファ６２は基準電圧毎に設けられていたので、液晶表示装置にはＮ個の基準電圧出力バッファ６２が設けられていた。一方、本実施形態によると、各ソースドライバ３００内の予備信号線出力バッファ３２のうち、予備信号線５１によって伝送される映像信号の増幅に供される予備信号線出力バッファ３２以外のものについては、基準電圧の増幅に供される。すなわち、予備信号線５１の本数はＭ本であるので、Ｍ個の予備信号線出力バッファ３２は映像信号の増幅に供されるが、（Ｌ−Ｍ）個の予備信号線出力バッファ３２は基準電圧の増幅に供される。従って、本実施形態によると、図４に示すように（Ｎ−（Ｌ−Ｍ））個の基準電圧出力バッファ６２を備える構成とすることができ、従来に比して、（Ｌ−Ｍ）個の基準電圧出力バッファ６２を削減することができる。
【００５５】
以上のように、基準電圧出力バッファ６２を削減することができるので、液晶表示装置全体で必要なバッファの数を削減することができる。これにより、バッファを構成するための回路面積が低減され、回路部品のコストも削減される。また、バッファ数が削減されることにより消費電流も低減される。
【００５６】
＜２．第２の実施形態＞
＜２．１  全体の構成および動作＞
図５は、本発明の第２の実施形態に係るアクティブマトリクス型の液晶表示装置の全体構成を示すブロック図である。本実施形態においては、上記第１の実施形態とは異なり、表示部内バイパス信号線５２は設けられていない。また、ソースドライバ３００の内部の配線構造が上記第１の実施形態とは異なるが、これについては後述する。その他の構成については、上記第１の実施形態と同様であるので、同一の構成要素については同一の参照符号を付し、詳しい説明は省略する。
【００５７】
＜２．２  ソースドライバの配線構造＞
図６は、本実施形態において、ソースドライバ３００の配線構造を示す平面図である。
本実施形態においては、上記第１の実施形態とは異なり、予備信号線出力バッファ３２に入力信号を与えるための端子（以下、「予備信号線出力バッファ入力用端子」という。）９２１および予備信号線出力バッファ３２からの出力信号を取り出すための端子（以下、「予備信号線出力バッファ出力用端子」という。）９２２が共に外部側入出力部３９に設けられている。その他の構成については、上記第１の実施形態と同様であるので、同一の構成要素については同一の参照符号を付し、詳しい説明は省略する。
【００５８】
＜２．３  ソースドライバと表示部等との接続構造＞
図７は、ソースドライバ３００と表示部５００および基準電圧生成回路６００との接続構造を示す配線図である。なお、図７には、説明の便宜上、１ソースドライバグループ３０００に含まれるソースドライバ３００のみを示している。本実施形態においても、上記第１の実施形態と同様、１ソースドライバグループには２個のソースドライバ３００（第１タイプソースドライバ３００Ａおよび第２タイプソースドライバ３００Ｂ）が含まれており、第１タイプソースドライバ３００Ａの予備信号線出力バッファ３２Ａは予備信号線５１によって伝送される映像信号の増幅に供され、第２タイプソースドライバ３００Ｂの予備信号線出力バッファ３２Ｂは基準電圧生成回路６００から出力された基準電圧の増幅に供される。
【００５９】
まず、第１タイプソースドライバ３００Ａと表示部５００および基準電圧生成回路６００との接続構造について説明する。基準電圧用入力端子９３Ａには、ソースドライバ外部の増幅後の基準電圧を伝送する配線６４が接続される。これにより、第１タイプソースドライバ３００Ａには増幅後の基準電圧が供給され、第１タイプソースドライバ３００Ａでは、その基準電圧に基づいて映像信号が生成される。映像信号線用出力端子８３Ａには、表示部５００内の映像信号線が接続される。これにより、第１タイプソースドライバ３００Ａで生成された映像信号が、映像信号線用出力端子８３Ａと接続された映像信号線に供給される。ソースドライバ内バイパス信号線用表示部側端子８１Ａには、表示部一側５Ａにおいて映像信号線と交差するように形成された予備信号線５１の一端が接続される。また、ソースドライバ内バイパス信号線用外部側端子９１Ａと予備信号線出力バッファ入力用端子９２１Ａとが、ソースドライバ３００外部の外部配線５３によって接続される。これにより、表示部一側５Ａからソースドライバ内バイパス信号線用表示部側端子８１Ａに与えられた映像信号は、ソースドライバ内バイパス信号線３１Ａ、ソースドライバ内バイパス信号線用外部側端子９１Ａ、外部配線５３、予備信号線出力バッファ入力用端子９２１Ａを通過して、予備信号線出力バッファ３２Ａの入力端子３３Ａに与えられる。そして、予備信号線出力バッファ３２Ａによって映像信号が増幅される。さらに、予備信号線出力バッファ出力用端子９２２Ａには、表示部他側５Ｂにおいて映像信号線と交差するように形成され、さらに表示部５００の外縁を通過して第１タイプソースドライバ３００Ａ近傍まで配線された予備信号線５１の一端が接続される。これにより、予備信号線出力バッファ３２Ａによって増幅された映像信号が、表示部他側５Ｂに形成された予備信号線５１に伝送される。
【００６０】
次に、第２タイプソースドライバ３００Ｂと表示部５００および基準電圧生成回路６００との接続構造について説明する。基準電圧用入力端子９３Ｂには、ソースドライバ外部の増幅後の基準電圧を伝送する配線６４が接続される。これにより、第２タイプソースドライバ３００Ｂには増幅後の基準電圧が供給され、第２タイプソースドライバ３００Ｂでは、その基準電圧に基づいて映像信号が生成される。映像信号線用出力端子８３Ｂには、表示部５００内の映像信号線が接続される。これにより、第２タイプソースドライバ３００Ｂで生成された映像信号が、映像信号線用出力端子８３Ｂと接続された映像信号線に供給される。予備信号線出力バッファ入力用端子９２１Ｂには、基準電圧生成回路６００から出力された基準電圧を伝送するための配線６３が接続される。なお、この配線６３によって伝送される基準電圧は、基準電圧出力バッファ６２では増幅されていない。これにより、基準電圧生成回路６００で生成され未だ増幅されていない基準電圧が、第２タイプソースドライバ３００Ｂ内の予備信号線出力バッファ３２Ｂに供給される。さらに、予備信号線出力バッファ出力用端子９２２Ｂには、ソースドライバ外部の増幅後の基準電圧を伝送するための配線６４が接続される。以上より、基準電圧生成回路６００で生成され未だ増幅されていない基準電圧が、基準電圧を伝送するための配線６３、予備信号線出力バッファ入力用端子９２１Ｂを通過して、予備信号線出力バッファ３２Ｂの入力端子３３Ｂに与えられる。そして、その入力端子３３Ｂに与えられた基準電圧は、予備信号線出力バッファ３２Ｂによって増幅された後、予備信号線出力バッファ出力用端子９２２Ｂ、ソースドライバ外部の増幅後の基準電圧を伝送するための配線６４を通過して、各ソースドライバ３００の基準電圧用入力端子９３に与えられる。なお、ソースドライバ内バイパス信号線用表示部側端子８１Ｂおよびソースドライバ内バイパス信号線用外部側端子９１Ｂについては、表示部５００内の配線や第２タイプソースドライバ３００Ｂ外部の配線とは接続されない。
【００６１】
＜２．４  効果＞
以上説明したように、本実施形態によると、ソースドライバ３００には、従来の構成要素に比して、表示部側入出力部３８と外部側入出力部３９とを接続するソースドライバ内バイパス信号線３１が付加されている。各ソースドライバグループ３０００内の第２タイプソースドライバ３００Ｂに着目すると、表示部５００とは反対側の外部側入出力部３９Ｂに、予備信号線出力バッファ３２Ｂの入出力のための端子である予備信号線出力バッファ入力用端子９２１Ｂと予備信号線出力バッファ出力用端子９２２Ｂとが設けられている。これにより、ソースドライバ群３の外部から第２タイプソースドライバ３００Ｂに与えられた電圧を第２タイプソースドライバ３００Ｂ内の予備信号線出力バッファ３２Ｂによって増幅し、増幅後の電圧をソースドライバ群３の外部に出力することができる。本実施形態においては、第２タイプソースドライバ３００Ｂ内の予備信号線出力バッファ入力用端子９２１Ｂは基準電圧生成回路６００と接続され、予備信号線出力バッファ出力用端子９２２Ｂは各ソースドライバ３００の基準電圧用入力端子９３と接続されている。このため、基準電圧生成回路６００から出力され、第２タイプソースドライバ３００Ｂ内の予備信号線出力バッファ入力用端子９２１Ｂに与えられた基準電圧は、第２タイプソースドライバ３００Ｂ内の予備信号線出力バッファ３２Ｂによって増幅される。そして、その増幅後の基準電圧が各ソースドライバ３００に供給され、映像信号の生成に供される。以上のように、第２タイプソースドライバ３００Ｂ内の予備信号線出力バッファ３２Ｂは、基準電圧生成回路６００から出力された基準電圧の増幅に供されている。このため、上記第１の実施形態と同様、従来、予備信号線出力バッファ３２とは別に設けられていた基準電圧出力バッファ６２が不要となり、液晶表示装置全体で必要なバッファの数を削減することができる。
【００６２】
また、表示部一側５Ａからソースドライバ３００、液晶表示装置の外縁を通過して表示部他側５Ｂへと配線された予備信号線５１によって伝送される映像信号は、従来と同様、ソースドライバ３００内の予備信号線出力バッファ３２によって増幅される。このため、表示部他側５Ｂにおいても安定した電圧が予備信号線５１によって供給され、断線が生じた映像信号線には画像を表示するために充分な電圧が印加される。これにより、映像信号線に断線が生じても、従来と同様に画像表示が行われる。
【００６３】
さらに、本実施形態によると、予備信号線出力バッファ３２の入出力のための端子（予備信号線出力バッファ入力用端子９２１および予備信号線出力バッファ出力用端子９２２）が、共に表示部５００とは反対側の外部側入出力部３９に設けられている。このような構成にすることで、上記第１の実施形態とは異なり、表示部内バイパス信号線を備えることなく、予備信号線出力バッファ３２が基準電圧の増幅に供される。
【００６４】
以上のように、本実施形態においても、上記第１の実施形態と同様、液晶表示装置全体で必要なバッファの数を削減することができ、バッファを構成するための回路面積の低減、回路部品のコストの削減、消費電流の低減が実現される。
【００６５】
＜３．第３の実施形態＞
＜３．１  全体の構成および動作＞
図８は、本発明の第３の実施形態に係るアクティブマトリクス型の液晶表示装置の全体構成を示すブロック図である。本実施形態においては、上記第１の実施形態とは異なり、表示部内バイパス信号線５２は設けられていない。また、コモン電極（共通電極）に与えるコモン電圧（共通電極電圧）Ｖｃｏｍを生成するコモン電圧生成回路７００がソースドライバ群３と接続できるように配置されている。さらに、表示部５００には、映像信号線ＳＬ１〜ＳＬｎとは別にダミー信号線（擬似信号線）ＤＬが設けられている。ダミー信号線ＤＬとは、表示部５００の端側にある映像信号線（図８に示す例では映像信号線ＳＬｎ）の駆動条件とそれ以外の映像信号線の駆動条件とを等しくするために設けられた信号線である（特許文献３参照）。ソースドライバ３００の内部の配線構造についても上記第１の実施形態とは異なるが、これについては後述する。なお、ソースドライバ群３には８個のソースドライバ３００が含まれており、それらソースドライバ３００はグループ化されておらず、予備信号線５１は１本だけ設けられているものとして説明する。その他の構成については、上記第１の実施形態と同様であるので、同一の構成要素については同一の参照符号を付し、詳しい説明は省略する。
【００６６】
＜３．２  ソースドライバの配線構造＞
図９は、本実施形態において、ソースドライバ３００の配線構造を示す平面図である。
本実施形態においては、上記第１の実施形態とは異なり、表示部側入出力部３８と外部側入出力部３９とに、予備信号線出力バッファ３２に入力信号を与えるための端子（以下、それぞれ、「予備信号線出力バッファ入力用表示部側端子８２１」、「予備信号線出力バッファ入力用外部側端子９２１」という。）が設けられている。同様に、表示部側入出力部３８と外部側入出力部３９とに、予備信号線出力バッファ３２からの出力信号を取り出すための端子（以下、それぞれ、「予備信号線出力バッファ出力用表示部側端子８２２」、「予備信号線出力バッファ出力用外部側端子９２２」という。）が設けられている。また、上述したとおり、表示部内バイパス信号線は設けられていない。その他の構成については、上記第１の実施形態と同様であるので、同一の構成要素については同一の参照符号を付し、詳しい説明は省略する。
【００６７】
＜３．３  ソースドライバと表示部等との接続構造＞
図１０および図１１は、ソースドライバ３００と表示部５００および基準電圧生成回路６００との接続構造を示す配線図である。なお、図１０には、ソースドライバ群３に含まれているソースドライバ３００のうちの１番目のソースドライバ（以下、「第１タイプソースドライバ」という。）３００Ａと２番目のソースドライバ（以下、「第２タイプソースドライバ」という。）３００Ｂとを示している。図１１には、７番目のソースドライバ（以下、「第３タイプソースドライバ」という。）３００Ｇと８番目のソースドライバ（以下、「第４タイプソースドライバ」という。）３００Ｈとを示している。本実施形態においては、第１タイプソースドライバ３０１の予備信号線出力バッファ３２Ａは、従来と同様、予備信号線５１によって伝送される映像信号の増幅に供される。第２タイプソースドライバ３０２の予備信号線出力バッファ３２Ｂは、後述するように、基準電圧生成回路６００から出力された基準電圧の増幅に供される。第３タイプソースドライバ３００Ｇの予備信号線出力バッファ３２Ｇは、後述するように、コモン電圧生成回路７００から出力されたコモン電圧Ｖｃｏｍの増幅に供される。第４タイプソースドライバ３００Ｈの予備信号線出力バッファ３２Ｈは、後述するように、ダミー信号線ＤＬに供給する映像信号の増幅に供される。
【００６８】
まず、図１０を参照しつつ、第１タイプソースドライバ３００Ａと表示部５００および基準電圧生成回路６００との接続構造について説明する。基準電圧用入力端子９３Ａには、ソースドライバ外部の増幅後の基準電圧を伝送する配線６４が接続される。これにより、第１タイプソースドライバ３００Ａには増幅後の基準電圧が供給され、第１タイプソースドライバ３００Ａでは、その基準電圧に基づいて映像信号が生成される。映像信号線用出力端子８３Ａには、表示部５００内の映像信号線が接続される。これにより、第１タイプソースドライバ３００Ａで生成された映像信号が、映像信号線用出力端子８３Ａと接続された映像信号線に供給される。予備信号線出力バッファ入力用表示部側端子８２１Ａには、表示部一側５Ａにおいて映像信号線と交差するように形成された予備信号線５１の一端が接続される。また、予備信号線出力バッファ出力用外部側端子９２２Ａには、表示部他側５Ｂにおいて映像信号線と交差するように形成され、さらに表示部５００の外縁を通過して第１タイプソースドライバ３００Ａ近傍まで配線された予備信号線５１の一端が接続される。これにより、表示部一側５Ａから表示部他側５Ｂへと予備信号線５１によって伝送される映像信号が、予備信号線出力バッファ３２Ａによって増幅される。なお、予備信号線出力バッファ出力用表示部側端子８２２Ａおよび予備信号線出力バッファ入力用外部側端子９２１Ａについては、表示部５００内の配線や第１タイプソースドライバ３００Ａ外部の配線とは接続されない。
【００６９】
次に、図１０を参照しつつ、第２タイプソースドライバ３００Ｂと表示部５００および基準電圧生成回路６００との接続構造について説明する。基準電圧用入力端子９３Ｂには、ソースドライバ外部の増幅後の基準電圧を伝送する配線６４が接続される。これにより、第２タイプソースドライバ３００Ｂには増幅後の基準電圧が供給され、第２タイプソースドライバ３００Ｂでは、その基準電圧に基づいて映像信号が生成される。映像信号線用出力端子８３Ｂには、表示部５００内の映像信号線が接続される。これにより、第２タイプソースドライバ３００Ｂで生成された映像信号が、映像信号線用出力端子８３Ｂと接続された映像信号線に供給される。予備信号線出力バッファ入力用外部側端子９２１Ｂには、基準電圧生成回路６００から出力された基準電圧を伝送するための配線６３が接続される。なお、この配線６３によって伝送される基準電圧は、基準電圧出力バッファ６２では増幅されていない。これにより、基準電圧生成回路６００で生成され未だ増幅されていない基準電圧が、第２タイプソースドライバ３００Ｂ内の予備信号線出力バッファ３２Ｂに供給される。さらに、予備信号線出力バッファ出力用外部側端子９２２Ｂには、ソースドライバ外部の増幅後の基準電圧を伝送するための配線６４が接続される。以上より、基準電圧生成回路６００で生成され未だ増幅されていない基準電圧が、基準電圧を伝送するための配線６３、予備信号線出力バッファ入力用外部側端子９２１Ｂを通過して、予備信号線出力バッファ３２Ｂの入力端子３３Ｂに与えられる。そして、その入力端子３３Ｂに与えられた基準電圧は、予備信号線出力バッファ３２Ｂによって増幅された後、予備信号線出力バッファ出力用外部側端子９２２Ｂ、ソースドライバ外部の増幅後の基準電圧を伝送するための配線６４を通過して、各ソースドライバ３００の基準電圧用入力端子９３に与えられる。なお、予備信号線出力バッファ入力用表示部側端子８２１Ｂおよび予備信号線出力バッファ出力用表示部側端子８２２Ｂについては、表示部５００内の配線とは接続されない。
【００７０】
次に、図１１を参照しつつ、第３タイプソースドライバ３００Ｇと表示部５００および基準電圧生成回路６００との接続構造について説明する。基準電圧用入力端子９３Ｇには、ソースドライバ外部の増幅後の基準電圧を伝送する配線６４が接続される。これにより、第２タイプソースドライバ３００Ｇには増幅後の基準電圧が供給され、第３タイプソースドライバ３００Ｇでは、その基準電圧に基づいて映像信号が生成される。映像信号線用出力端子８３Ｇには、表示部５００内の映像信号線が接続される。これにより、第３タイプソースドライバ３００Ｇで生成された映像信号が、映像信号線用出力端子８３Ｇと接続された映像信号線に供給される。予備信号線出力バッファ入力用外部側端子９２１Ｇには、コモン電圧生成回路７００から出力されたコモン電圧Ｖｃｏｍを伝送するための配線７１が接続される。これにより、コモン電圧生成回路７００で生成され未だ増幅されていないコモン電圧Ｖｃｏｍが、第３タイプソースドライバ３００Ｇ内の予備信号線出力バッファ３２Ｇに供給される。さらに、予備信号線出力バッファ出力用表示部側端子８２２Ｇとコモン電極とが電気的に接続される。以上より、コモン電圧生成回路７００で生成され未だ増幅されていないコモン電圧Ｖｃｏｍが、コモン電圧Ｖｃｏｍを伝送するための配線７１、予備信号線出力バッファ入力用外部側端子９２１Ｇを通過して、予備信号線出力バッファ３２Ｇの入力端子３３Ｇに与えられる。そして、その入力端子３３Ｇに与えられた基準電圧は、予備信号線出力バッファ３２Ｇによって増幅された後、予備信号線出力バッファ出力用表示部側端子８２２Ｇを通過して、コモン電極に与えられる。なお、予備信号線出力バッファ入力用表示部側端子８２１Ｇおよび予備信号線出力バッファ出力用外部側端子９２２Ｇについては、表示部５００内の配線や第３タイプソースドライバ３００Ｇ外部の配線とは接続されない。
【００７１】
次に、図１１を参照しつつ、第４タイプソースドライバ３００Ｈと表示部５００および基準電圧生成回路６００との接続構造について説明する。基準電圧用入力端子９３Ｈには、ソースドライバ外部の増幅後の基準電圧を伝送する配線６４が接続される。これにより、第４タイプソースドライバ３００Ｈには増幅後の基準電圧が供給され、第４タイプソースドライバ３００Ｈでは、その基準電圧に基づいて映像信号が生成される。映像信号線用出力端子８３Ｈには、表示部５００内の映像信号線が接続される。これにより、第４タイプソースドライバ３００Ｈで生成された映像信号が、映像信号線用出力端子８３Ｈと接続された映像信号線に供給される。予備信号線出力バッファ入力用表示部側端子８２１Ｈには、表示部一側５Ａにおいて地点Ｐｋで映像信号線ＳＬｋを分岐して設けられた配線５４の一端が接続される。また、予備信号線出力バッファ出力用表示部側端子８２２Ｈには、表示部５００内のダミー信号線ＤＬの一端が接続される。これにより、第４タイプソースドライバ３００Ｈから映像信号線ＳＬｋに出力された映像信号が、映像信号線ＳＬｋ上の分岐点Ｐｋ、分岐点Ｐｋから延びる配線５４、予備信号線出力バッファ入力用表示部側端子８２１Ｈを通過して、予備信号線出力バッファ３２Ｈの入力端子３３Ｈに与えられる。そして、その入力端子３３Ｈに与えられた映像信号は、予備信号線出力バッファ３２Ｈによって増幅された後、予備信号線出力バッファ出力用表示部側端子８２２Ｈを通過して、ダミー信号線ＤＬに供給される。なお、予備信号線出力バッファ入力用外部側端子９２１Ｈおよび予備信号線出力バッファ出力用外部側端子９２２Ｈについては、第４タイプソースドライバ３００Ｈ外部の配線とは接続されない。
【００７２】
＜３．４  効果＞
以上説明したように、本実施形態によると、予備信号線出力バッファ３２に入力信号を与えるための端子が、表示部側入出力部３８と外部側入出力部３９との双方に設けられてい。また、予備信号線出力バッファ３２からの出力信号を取り出すための端子も、表示部側入出力部３８と外部側入出力部３９との双方に設けられている。このため、表示部５００あるいはソースドライバ群３の外部からソースドライバ３００に与えられた信号をソースドライバ３００内の予備信号線出力バッファ３２Ｂによって増幅し、増幅後の信号を表示部５００あるいはソースドライバ群３の外部に出力することができる。
【００７３】
本実施形態においては、表示部一側５Ａからソースドライバ３００、液晶表示装置の外縁を通過して表示部他側５Ｂへと配線された予備信号線５１によって伝送される映像信号は、従来と同様、ソースドライバ３００内の予備信号線出力バッファ３２によって増幅される。このため、表示部他側５Ｂにおいても安定した電圧が予備信号線５１によって供給され、断線が生じた映像信号線には画像を表示するために充分な電圧が印加される。これにより、映像信号線に断線が生じても、従来と同様に画像表示が行われる。
【００７４】
また、第２タイプソースドライバ３００Ｂ内の予備信号線出力バッファ入力用外部側端子９２１Ｂは基準電圧生成回路６００と接続され、予備信号線出力バッファ出力用外部側端子９２２Ｂは各ソースドライバ３００の基準電圧用入力端子９３と接続されている。このため、基準電圧生成回路６００から出力され、第２タイプソースドライバ３００Ｂ内の予備信号線出力バッファ入力用外部側端子９２１Ｂに与えられた基準電圧は、第２タイプソースドライバ３００Ｂ内の予備信号線出力バッファ３２Ｂによって増幅される。そして、その増幅後の基準電圧が各ソースドライバ３００に供給され、映像信号の生成に供される。以上のように、第２タイプソースドライバ３００Ｂ内の予備信号線出力バッファ３２Ｂは、基準電圧生成回路６００から出力された基準電圧の増幅に供されている。このため、従来、予備信号線出力バッファ３２とは別に設けられていた基準電圧出力バッファ６２が不要となる。これにより、液晶表示装置全体で必要なバッファの数を削減することができる。
【００７５】
さらに、第３タイプソースドライバ３００Ｇ内の予備信号線出力バッファ入力用外部側端子９２１Ｇはコモン電圧生成回路７００と接続され、予備信号線出力バッファ出力用表示部側端子８２２Ｇはコモン電極と接続されている。このため、コモン電圧生成回路７００から出力され、第３タイプソースドライバ３００Ｇ内の予備信号線出力バッファ入力用外部側端子９２１Ｇに与えられたコモン電圧Ｖｃｏｍは、第３タイプソースドライバ３００Ｇ内の予備信号線出力バッファ３２Ｇによって増幅される。そして、その増幅後のコモン電圧Ｖｃｏｍがコモン電極に与えられる。以上のように、第３タイプソースドライバ３００Ｇ内の予備信号線出力バッファ３２Ｇは、コモン電圧生成回路７００から出力されたコモン電圧Ｖｃｏｍの増幅に供されている。このため、従来、予備信号線出力バッファ３２とは別に設けられていたコモン電圧の増幅のためのバッファが不要となる。これにより、液晶表示装置全体で必要なバッファの数をさらに削減することができる。
【００７６】
さらにまた、第４タイプソースドライバ３００Ｈ内の予備信号線出力バッファ３２については、ダミー信号線ＤＬに供給する映像信号の増幅に供されている。以上のように、本実施形態によると、ソースドライバ群３に含まれる予備信号線出力バッファ３２のうちの予備信号線５１によって伝送される映像信号の増幅には供されていない予備信号線出力バッファ３２を様々な信号の増幅に適用することができる。これにより、液晶表示装置全体で必要なバッファの数を格段に削減することができ、バッファを構成するための回路面積の低減、回路部品のコストの削減、消費電流の低減を効果的に実現することができる。
【００７７】
＜４．変形例＞
図１２は、上記各実施形態の変形例に係るソースドライバ３００の配線構造を示す平面図である。上記各実施形態と同様、このソースドライバ３００には、複数の端子を有する表示部側入出力部３８と、複数の端子を有する外部側入出力部３９と、入力端子３３および出力端子３４を有する予備信号線出力バッファ３２とが含まれている。表示部側入出力部３８には、予備信号線出力バッファ用表示部側端子８２と複数の映像信号線用出力端子８３とが含まれている。外部側入出力部３９には、予備信号線出力バッファ用外部側端子９２と複数の基準電圧用入力端子９３と後述する選択信号をソースドライバ３００外部から受け取るための選択信号用入力端子９４とが含まれている。
【００７８】
さらに、このソースドライバ３００には、予備信号線出力バッファ３２によって増幅する信号を、表示部５００内から受け取ってソースドライバ３００外部へ出力するか、それとも、ソースドライバ３００外部から受け取って表示部５００内へ出力するかを選択するための選択部（切り替え手段）３５が設けられている。選択部３５には、端子ＰＡ、ＰＢ、ＰＣ、ＰＤ、ＰＸ、ＰＹが含まれている。端子ＰＡおよびＰＤは、予備信号線出力バッファ用表示部側端子８２と接続されている。端子ＰＢおよびＰＣは、予備信号線出力バッファ用外部側端子９２と接続されている。端子ＰＸは、予備信号線出力バッファ３２の入力端子３３と接続されている。端子ＰＹは、予備信号線出力バッファ３２の出力端子３４と接続されている。また、端子ＰＸは、外部から与えられる選択信号Ｓによって、端子ＰＡ、ＰＢのいずれかと接続される。端子ＰＹは、選択信号Ｓによって、端子ＰＣ、ＰＤのいずれかと接続される。
【００７９】
ここで、選択信号Ｓの論理レベルがハイレベルの時には、端子ＰＸと端子ＰＡとを接続するともに端子ＰＹと端子ＰＣとを接続し、選択信号Ｓの論理レベルがローレベルの時には、端子ＰＸと端子ＰＢとを接続するともに端子ＰＹと端子ＰＤとを接続するという構成にすることができる。この構成の場合、選択信号Ｓの論理レベルがハイレベルの時には、表示部５００内から予備信号線出力バッファ用表示部側端子８２に与えられた信号は、予備信号線出力バッファ３２によって増幅され、その増幅後の信号が、予備信号線出力バッファ用外部側端子９２を通過してソースドライバ３００外部に出力される。一方、選択信号Ｓの論理レベルがローレベルの時には、ソースドライバ３００外部から予備信号線出力バッファ用外部側端子９２に与えられた信号は、予備信号線出力バッファ３２によって増幅され、その増幅後の信号が、予備信号線出力バッファ用表示部側端子８２を通過して表示部５００内に出力される。例えば、第３の実施形態で説明したようにコモン電圧Ｖｃｏｍを予備信号線出力バッファ３２によって増幅させる場合には、予備信号線出力バッファ用外部側端子９２とコモン電圧生成回路７００とを接続し、予備信号線出力バッファ用表示部側端子８２とコモン電極とを接続する。そして、論理レベルがローレベルの選択信号Ｓを選択部３５に与える。これにより、端子ＰＸと端子ＰＢとが接続され、端子ＰＹと端子ＰＤとが接続されるので、コモン電圧生成回路７００から出力されたコモン電圧Ｖｃｏｍは予備信号線出力バッファ３２によって増幅され、増幅後のコモン電圧Ｖｃｏｍがコモン電極に与えられる。
【００８０】
以上説明したように、本変形例によると、表示部５００からソースドライバ３００に与えられた信号を増幅してソースドライバ３００外部へ出力することができ、ソースドライバ３００外部からソースドライバ３００に与えられた信号を増幅して表示部５００へ出力することもできる。これにより、上記各実施形態と同様、ソースドライバ群３に含まれる予備信号線出力バッファ３２のうちの予備信号線５１によって伝送される映像信号の増幅には供されていない予備信号線出力バッファ３２を、様々な信号の増幅に適用することができる。また、表示部５００からソースドライバ３００に与えられた信号を増幅してソースドライバ３００外部へ出力するか、ソースドライバ３００外部からソースドライバ３００に与えられた信号を増幅して表示部５００へ出力するかについて、ソースドライバ３００の実装後に決定することができる。このため、効果良く、予備信号線５１によって伝送される映像信号の増幅には供されていない予備信号線出力バッファ３２を他の用途に適用することができる。これにより、効果良く、液晶表示装置全体で必要なバッファの数を削減することができ、バッファを構成するための回路面積の低減等が実現される。
【００８１】
＜５．その他＞
上記各実施形態においては、各ソースドライバ３００内に１個の予備信号線出力バッファ３２が設けられている場合を例に挙げて説明したが、本発明はこれに限定されず、各ソースドライバ３００内に複数個の予備信号線出力バッファ３２が設けられている場合にも適用することができる。また、本発明は、ＴＣＰ（Ｔａｐｅ  Ｃａｒｒｉｅｒ  Ｐａｃｋａｇｅ）によってソースドライバ３００が実装された液晶表示装置において好適であるが、ソースドライバ３００の実装方式については限定されない。例えば、ＣＯＦ（Ｃｈｉｐ  Ｏｎ  Ｆｉｌｍ）によってソースドライバ３００が実装された液晶表示装置においても適用することができる。
【図面の簡単な説明】
【００８２】
【図１】本発明の第１の実施形態に係るアクティブマトリクス型の液晶表示装置の全体構成を示すブロック図である。
【図２】上記第１の実施形態において、ソースドライバの配線構造を示す平面図である。
【図３】上記第１の実施形態において、ソースドライバと表示部および基準電圧生成回路との接続構造を示す配線図である。
【図４】上記第１の実施形態における基準電圧生成回路の回路図である。
【図５】本発明の第２の実施形態に係るアクティブマトリクス型の液晶表示装置の全体構成を示すブロック図である。
【図６】上記第２の実施形態において、ソースドライバの配線構造を示す平面図である。
【図７】上記第２の実施形態において、ソースドライバと表示部および基準電圧生成回路との接続構造を示す配線図である。
【図８】本発明の第３の実施形態に係るアクティブマトリクス型の液晶表示装置の全体構成を示すブロック図である。
【図９】上記第３の実施形態において、ソースドライバの配線構造を示す平面図である。
【図１０】上記第３の実施形態において、ソースドライバと表示部および基準電圧生成回路との接続構造を示す配線図である。
【図１１】上記第３の実施形態において、ソースドライバと表示部およびコモン電圧生成回路との接続構造を示す配線図である。
【図１２】上記各実施形態の変形例に係るソースドライバの配線構造を示す平面図である。
【図１３】従来の液晶表示装置において、映像信号線に断線が生じた場合の対処について説明するための配線図である。
【図１４】従来例における基準電圧生成回路の一例を示す回路図である。
【符号の説明】
【００８３】
３…ソースドライバ群
４…ゲートドライバ群
３１…ソースドライバ内バイパス信号線
３２…予備信号線出力バッファ
５１…予備信号線
５２…表示部内バイパス信号線
３００…ソースドライバ
５００…表示部
６００…基準電圧生成回路
７００…コモン電圧生成回路
ＳＬ１〜ＳＬｎ…映像信号線
Ｖ（１）〜Ｖ（Ｎ）…基準電圧
【図１】
2006195119.tif 000003
【図２】
2006195119.tif 000004
【図３】
2006195119.tif 000005
【図４】
2006195119.tif 000006
【図５】
2006195119.tif 000007
【図６】
2006195119.tif 000008
【図７】
2006195119.tif 000009
【図８】
2006195119.tif 000010
【図９】
2006195119.tif 000011
【図１０】
2006195119.tif 000012
【図１１】
2006195119.tif 000013
【図１２】
2006195119.tif 000014
【図１３】
2006195119.tif 000015
【図１４】
2006195119.tif 000016